(57)【特許請求の範囲】
【請求項１】
記録面上に同心円状または螺旋状に複数のトラックが形成された情報ディスクの隣接する複数トラックのデータを並行して読み取る再生手段と、
前記再生手段により再生されたデータを順次記憶しトラックの並び順に整列させるデータ整列手段と、
前記再生手段による並行して読み取り可能な複数トラックからのデータ読み取り速度の合計よりも遅い速度で前記データ整列手段から整列済みのデータを読み出すメモリ読み出し手段と、
前記データ整列手段の整列済みデータの読み出しと並行して前記再生手段からのデータを前記データ整列手段に書き込み、前記情報ディスクの１回転分のデータを読み取ると前記再生手段の読み取りトラックをトラックジャンプさせて一定量前進させ、異常トラックジャンプ発生時には前記再生手段の読み取りトラックを適正な位置に再設定するよう制御する制御手段と
を設けたマルチトラックディスク再生装置であって、
前記制御手段を、前記データ整列手段のデータ記憶量が所定値以上になると再生手段の並行して読み取るトラック本数を１本とし、前記データ整列手段の前記データ記憶量が所定値以下になると前記再生手段の並行して読み取るトラック数を増加させるよう構成したマルチトラックディスク再生装置。
【請求項２】
情報ディスクを、螺旋状に複数のトラックが形成されているディスクとし、
制御手段を、読み取りトラックを前進させるトラックジャンプ時と異常トラックジャンプ発生時には、再生手段の一部を既に読み取り済みのトラックに重複するようにトラックジャンプさせ未読み取りのトラックに該当する再生手段を用いて即座にデータの読み取りを再開するよう構成した請求項１記載のマルチトラックディスク再生装置。
【請求項３】
制御手段を、再生手段が並行して読み取ったトラックのデータのうちデータ整列手段に並行して書き込むトラック数を増減させることで有効な読み取りトラック数を増減させるよう構成した請求項１もしくは２のいずれかに記載のマルチトラックディスク再生装置。
【請求項４】
情報ディスクを、螺旋状にトラックが形成されたディスクとし、
制御手段を、再生手段の並行して再生を行う複数トラックの１トラック当りの再生速度がメモリ読み出し手段の読み出し速度とほぼ同じである場合、データ整列手段のデータ記憶量が所定値以上になると、前記再生手段が並行して読み取るトラック本数を１本としトラックジャンプを行わず再生を行うよう構成した請求項１ないし３のいずれかに記載のマルチトラックディスク再生装置。
【請求項５】
情報ディスクを、螺旋状にトラックが形成されたディスクとし、
制御手段を、再生手段の並行して再生を行う複数トラックの１トラック当りの再生速度がメモリ読み出し手段の読み出し速度と異なる速度である場合、データ整列手段のデータ記憶量が所定値以上になると、有効再生トラック数を１本にして１トラック当りの再生速度をメモリ読み出し手段の読み出し速度とほぼ同じ速度に変化させ、データ整列手段の前記データ記憶量が所定値以下になると、有効再生トラック数を増加させるとともに１トラックあたりの再生速度を元に戻すよう構成した請求項１ないし３のいずれかに記載のマルチトラックディスク再生装置。
【請求項６】
情報ディスクを、デジタル音声データが記録されたディスクとし、
メモリ読み出し手段を、所定の速度でデジタル音声データを読み出し、読み出された前記デジタル音声データを音声信号に変換して出力するＤ／Ａコンバータ回路を備えるよう構成した請求項１ないし５のいずれかに記載のマルチトラックディスク再生装置。
【発明の詳細な説明】
【０００１】
【発明の属する技術分野】
本発明は、複数のトラックを同時に読み取ることによって高速データ転送を行い、特に振動や衝撃が加わったときの読み出しデータ、例えば音声データや映像データなどの途切れが発生しないようにしたマルチトラックディスク再生装置に関するものである。
【０００２】
【従来の技術】
ディスク再生装置で用いられるコンパクトディスク（以下、ＣＤと略す。）には、音楽データ（ＰＣＭデータ）と制御データがトラック（ピット列）に沿って内周側から外周側に向けてスパイラル状に記録されている。また、このＣＤの記録信号の読み取りは、光ピックアップでトラックを追跡することによりなされるが、芯振れに対する追跡は主にトラッキングサーボによってなされ、トラックの進行に対する追跡は主にスレッドサーボによってなされる。
【０００３】
ところで、前記ＣＤの再生を行うディスク再生装置に大きな振動や衝撃が加わった場合には、前述のトラッキングサーボでは対応しきれずにトラックジャンプが生じるため、音切れや音飛びの原因となる。このような音切れや音飛びはショックプルーフメモリを備えることで防止することができる。
このショックプルーフメモリを有するディスク再生装置は、ＣＤに記録されたデータを高速に（例えば２倍速で）読み出して所定の信号処理を行った後にショックプルーフメモリに書き込むとともに、このショックプルーフメモリからデータを読み出して音楽の再生を行っている。一般には、ショックプルーフメモリにデータを書き込む速度がデータを読み出す速度よりも速く設定されているため、ショックプルーフメモリに一定量以上のデータが蓄積されるようになっており、大きな振動等によってＣＤからデータの読み取りが行えない場合であっても、ショックプルーフメモリからは一定速度でデータの読み出しが行えるようになっている。
【０００４】
しかし、ＣＤからの高速データ読み取りとショックプルーフメモリに対するデータ書き込みとを蓄積されたデータ量に応じて断続して行う前述のような方式では、ＣＤからの高速データ読み取りを再開する際に、データ読み取りを中断したときのアドレス位置にピックアップを合わせる必要があるため、必ずサーチ動作を伴うことになる。このサーチ動作は、トラッキングサーボを解除して行うため耐振性が著しく劣化し、サーチ動作中に連続した振動が加わるとトラッキング方向の位置が定まらず、サーチに時間がかかる場合がある。そのため、コンパクトディスクからのデータ読み取りを再開する前にショックプルーフメモリに蓄積されたデータが全て読み出される事態も考えられ、最悪の場合には本来であればトラッキングサーボで対応可能な連続加振時に音切れや音飛びが発生することになる。
【０００５】
そこで前記の課題に対応するため、特開平１０−１１２１２４号公報に記載されたディスク再生装置が一般に知られている。このディスク再生装置は、ディスク型記録媒体から読み取った音楽データを一旦一時記憶手段に書き込んで格納した後に読み出して音楽の再生を行っており、一時記憶手段に格納された読み出し前のデータが所定量に達するまでは、音楽の再生速度より速い速度で一時記憶手段に対する音楽データの書き込みを行い、一時記憶手段に格納された読み出し前のデータが所定量に達した後は音楽の再生速度とほぼ同じ速度で一時記憶手段に対する音楽データの書き込みを行うものである。
【０００６】
【発明が解決しようとする課題】
しかしながら、前述の特開平１０−１１２１２４のディスク再生装置では、一時記憶手段に格納された読み出し前のデータが所定量にする前後で、ディスクの回転速度を変化させる必要があり、ディスクの再生速度を急速に変化させる際には、読み取り信号の品質の悪化、ＰＬＬの追従性能の問題から、読み取ったデータのエラーレートが悪化するという問題がある。
【０００７】
また、音楽の再生速度とほぼ同じ速度で一時記憶手段に対する音楽データの書き込みを行っている際に、連続する振動などによりデータの読み取りが一定時間不能となり、一時記憶手段に格納された読み出し前のデータ量が急速に減少した場合にはディスク回転速度を上げねばならず、この回転速度を変化させる間も前記の理由でデータのエラーレートが悪化するとともに、ディスクの回転速度が上昇するまでに時間がかかるため、減少した一時記憶手段に格納された読み出し前のデータ量を復帰させるためにはより多くの時間がかかってしまい、さらに振動等でデータの読み取りが不能になった場合には音飛びが発生してしまうという問題がある。
【０００８】
本発明は、連続加振等に対する耐振性をより向上させて音切れや音飛びを防止したマルチトラックディスク再生装置を提供することを目的とする。
【０００９】
【課題を解決するための手段】
本発明のマルチトラックディスク再生装置は、記録面上に同心円状または螺旋状に複数のトラックが形成された情報ディスクの隣接する複数トラックのデータを並行して読み取る再生手段と、前記再生手段により再生されたデータを順次記憶しトラックの並び順に整列させるデータ整列手段と、前記再生手段による並行して読み取り可能な複数トラックからのデータ読み取り速度の合計よりも遅い速度で前記データ整列手段から整列済みのデータを読み出すメモリ読み出し手段と、前記データ整列手段の整列済みデータの読み出しと並行して前記再生手段からのデータを前記データ整列手段に書き込み、前記情報ディスクの１回転分のデータを読み取ると前記再生手段の読み取りトラックをトラックジャンプさせて一定量前進させ、異常トラックジャンプ発生時には前記再生手段の読み取りトラックを適正な位置に再設定するよう制御する制御手段とを設けたものであって、前記制御手段を、前記データ整列手段のデータ記憶量が所定値以上になると再生手段の並行して読み取るトラック本数を１本とし、前記データ整列手段の前記データ記憶量が所定値以下になると前記再生手段の並行して読み取るトラック数を増加させるよう構成したものである。
【００１０】
本発明によると、連続加振等に対する耐振性をより向上させることができ音切れや音飛びを防止したディスク再生装置を提供することができる。
【００１１】
【発明の実施の形態】
本発明の請求項１に記載の発明は、記録面上に同心円状または螺旋状に複数のトラックが形成された情報ディスクの隣接する複数トラックのデータを並行して読み取る再生手段と、前記再生手段により再生されたデータを順次記憶しトラックの並び順に整列させるデータ整列手段と、前記再生手段による並行して読み取り可能な複数トラックからのデータ読み取り速度の合計よりも遅い速度で前記データ整列手段から整列済みのデータを読み出すメモリ読み出し手段と、前記データ整列手段の整列済みデータの読み出しと並行して前記再生手段からのデータを前記データ整列手段に書き込み、前記情報ディスクの１回転分のデータを読み取ると前記再生手段の読み取りトラックをトラックジャンプさせて一定量前進させ、異常トラックジャンプ発生時には前記再生手段の読み取りトラックを適正な位置に再設定するよう制御する制御手段とを設けたマルチトラックディスク再生装置であって、前記制御手段を、前記データ整列手段のデータ記憶量が所定値以上になると再生手段の並行して読み取るトラック本数を１本とし、前記データ整列手段の前記データ記憶量が所定値以下になると前記再生手段の並行して読み取るトラック数を増加させるよう構成したマルチトラックディスク再生装置としたものであり、情報ディスクの回転速度を変化させることなくデータ転送速度の高速化を図ることができ、データ整列手段をショックプルーフ用メモリとして使用できるので再生装置の総メモリ量を最低限度にとどめることができる。また、情報ディスクの回転速度を変化させることなく即座に前記データ整列手段にデータを書き込む速度を変化させることができるので、読み取りデータのエラーレートの悪化がなく、データ整列手段内のデータが減少した場合でも速やかに前記データ整列手段内のデータを増加させることができ、情報ディスクを低回転速度のままでショックプルーフを実現することが出来るので、連続加振等に対する耐振性をより高め、出力データの途切れを防止することができ、音切れや音飛びを防止できるディスク再生装置を提供することができる。
【００１２】
本発明の請求項２に記載の発明は、情報ディスクを、螺旋状に複数のトラックが形成されているディスクとし、制御手段を、読み取りトラックを前進させるトラックジャンプ時と異常トラックジャンプ発生時には、再生手段の一部を既に読み取り済みのトラックに重複するようにトラックジャンプさせ未読み取りのトラックに該当する再生手段を用いて即座にデータの読み取りを再開するよう構成した請求項１記載のマルチトラックディスク再生装置としたものであり、トラックジャンプ後も即座にデータの読み取りを再開するので、データ整列手段内のデータが減少した場合でも速やかに前記データ整列手段内のデータを増加させることができ、連続加振等に対する耐振性をより高め、出力データの途切れを防止したディスク再生装置を提供することができる。
【００１４】
本発明の請求項３に記載の発明は、制御手段を、再生手段が並行して読み取ったトラックのデータのうちデータ整列手段に並行して書き込むトラック数を増減させることで有効な読み取りトラック数を増減させるよう構成した請求項１もしくは２のいずれかに記載のマルチトラックディスク再生装置としたものであり、ディスクの回転速度を変化させることなく即座に前記データ整列手段にデータを書き込む速度を変化させることができるので、読み取りデータのエラーレートの悪化がなく、データ整列手段内のデータが減少した場合でも速やかに前記データ整列手段内のデータを増加させることができ、連続加振等に対する耐振性をより高め、出力データの途切れを防止したディスク再生装置を提供することができる。
【００１５】
本発明の請求項４に記載の発明は、情報ディスクを、螺旋状にトラックが形成されたディスクとし、制御手段を、再生手段の並行して再生を行う複数トラックの１トラック当りの再生速度がメモリ読み出し手段の読み出し速度とほぼ同じである場合、データ整列手段のデータ記憶量が所定値以上になると、前記再生手段が並行して読み取るトラック本数を１本としトラックジャンプを行わず再生を行うよう構成した請求項１ないし３のいずれかに記載のマルチトラックディスク再生装置としたものであり、ディスクの回転速度を変化させることなく即座に前記データ整列手段にデータを書き込む速度を変化させることができるので、読み取りデータのエラーレートの悪化がなく、データ整列手段内のデータが減少した場合でも速やかに前記データ整列手段内のデータを増加させることができ、さらにデータ整列手段のデータ記憶量が所定値以上になったときにはトラックジャンプを行わずにデータの再生をメモリ読み出し手段の読み出し速度とほぼ同じ速度で継続することができるので、連続加振等に対する耐振性をより高め、出力データの途切れ防止したディスク再生装置を提供することができる。
【００１６】
本発明の請求項５に記載の発明は、情報ディスクを、螺旋状にトラックが形成されたディスクとし、制御手段を、再生手段の並行して再生を行う複数トラックの１トラック当りの再生速度がメモリ読み出し手段の読み出し速度と異なる速度である場合、データ整列手段のデータ記憶量が所定値以上になると、有効再生トラック数を１本にして１トラック当りの再生速度をメモリ読み出し手段の読み出し速度とほぼ同じ速度に変化させ、データ整列手段の前記データ記憶量が所定値以下になると、有効再生トラック数を増加させるとともに１トラックあたりの再生速度を元に戻すよう構成した請求項１ないし３のいずれかに記載のマルチトラックディスク再生装置としたものであり、ディスクの回転速度を急速に変化させることなく即座に前記データ整列手段にデータを書き込む速度を変化させることができるので、読み取りデータのエラーレートの悪化が少なく、データ整列手段内のデータが減少した場合でも速やかに前記データ整列手段内のデータを増加させることができ、さらにデータ整列手段のデータ記憶量が所定値以上になったときにはトラックジャンプを行わずにデータの再生をメモリ読み出し手段の読み出し速度とほぼ同じ速度で継続することができるので、連続加振等に対する耐振性をより高め、出力データの途切れ防止したディスク再生装置を提供することができる。
【００１７】
本発明の請求項６に記載の発明は、情報ディスクを、デジタル音声データが記録されたディスクとし、メモリ読み出し手段を、所定の速度でデジタル音声データを読み出し、読み出された前記デジタル音声データを音声信号に変換して出力するＤ／Ａコンバータ回路を備えるよう構成した請求項１ないし５のいずれかに記載のマルチトラックディスク再生装置としたものであり、データ整列手段をショックプルーフ用メモリとして使用できるので再生装置の総メモリ量を最低限度にとどめることができ、またデータ整列手段内のデータが減少した場合でも速やかに前記データ整列手段内のデータを増加させることができ、連続加振等に対する耐振性をより高め、音切れや音飛びを防止したディスク再生装置を提供することができる。
【００１８】
以下、本発明のマルチトラックディスク再生装置を具体的な実施の形態に基づいて説明する。
（実施の形態１）
本発明の実施の形態１のマルチトラックディスク再生装置は、図１に示すように、記録面上に同心円状または螺旋状に複数のトラックが形成された情報ディスク１の隣接する複数トラックのデータを並行して読み取る再生手段２と、再生手段２により再生されたデータを順次記憶しトラックの並び順に整列させるデータ整列手段３と、再生手段２による並行して読み取り可能な複数トラックからのデータ読み取り速度の合計よりも遅い速度でデータ整列手段３から整列済みのデータを読み出すメモリ読み出し手段としてのデータ読み出し手段４と、データ整列手段３の整列済みデータの読み出しと並行して再生手段２からのデータをデータ整列手段３に書き込み、情報ディスク１の１回転分のデータを読み取ると再生手段２の読み取りトラックをトラックジャンプさせて一定量前進させ、異常トラックジャンプ発生時には再生手段２の読み取りトラックを適正な位置に再設定するよう制御する制御手段５とを設けたものである。
【００１９】
このマルチトラックディスク再生装置の各構成についてもう少し具体的に説明する。
情報ディスク１には、例えば、光ディスク、磁気ディスク、光磁気ディスクなどがある。ここでは、この情報ディスク１を光ディスクとする。ディスク駆動装置６は、情報ディスク１を所定の速度で回転させるモータである。
【００２０】
再生手段２は、読み取りヘッド部７と読み取りヘッド部駆動装置８とサーボ回路９とヘッドアンプ部１０とデジタル信号処理回路１１とで構成されている。
読み取りヘッド部７は、例えば、光ディスク装置や光磁気ディスク装置などでは光ピックアップに相当し、磁気ディスク装置では磁気ヘッドに相当するものであり、ここでは読み取りヘッド部７を、図２に示すように、発光素子、受光素子対から構成される光ピックアップ７ａを複数有する構成とし、情報ディスク１の半径方向に移動可能に設置されており、情報ディスク１の隣接する複数のトラックのデータを複数の光ピックアップ７ａで並行して同時に読み取り再生する。図２には、例えば、情報ディスク１の複数のトラックＴ１〜ＴｎのうちのトラックＴ２〜Ｔ５を４個の光ピックアップ７ａで並行して同時に読み取り再生する様子を図示している。
【００２１】
読み取りヘッド部駆動装置８は、読み取りヘッド部７を半径方向に駆動して目的のトラックに移動する。
ヘッドアンプ部１０は、図２に示すように、読み取りヘッド部７から並列に再生された信号を増幅し適正な大きさの信号にそれぞれ変換して出力するよう複数のヘッドアンプで構成されている。
【００２２】
図１に示すように、サーボ回路９は、読み取りヘッド部７が光ピックアップ７ａで構成されている場合には光ピックアップ７ａのフォーカス、およびトラッキング方向のサーボ制御をおこなう。
デジタル信号処理回路１１は、ヘッドアンプ部１０から並列に出力された信号をデジタルデータに変換し、変調や符号化が行われている場合には復調、復号を行い並列に出力する。
【００２３】
データ整列手段３は、デジタル信号処理回路１１から並列に出力されたデータを逐次データ整列用メモリ１２にデータの先頭から順に整列させるメモリコントローラ１３で構成されている。
データ読み出し手段４は、並列に再生されたデータが再生される合計の速度よりも遅い速度で情報ディスク１のトラックの並びと同じ順番でデータの読み出しを行い本装置外部に出力する。
【００２４】
制御手段５は、例えば、中央処理装置（ＣＰＵ）のようなコントローラで、ディスク駆動装置６と、読み取りヘッド部駆動装置８と、サーボ回路９と、デジタル信号処理回路１１と、メモリコントローラ１３と、データ読み出し手段４とを制御する。
ここで、このマルチトラックディスク再生装置の実際の読み取り動作について以下に説明する。
【００２５】
読み取りヘッド部７から並列に読み取られた信号は、ヘッドアンプ部１０で適正な振幅に変換されてデジタル信号処理回路１１に入力される。デジタル信号処理回路１１は、並列に入力された信号をデジタルデータに変換，復調，復号などの必要な処理を行ってメモリコントローラ１３に出力する。メモリコントローラ１３は、デジタル信号処理回路１１から出力されたデータをデータの並び順にデータ整列用メモリ１２に整列させ一時保存する。データ読み出し手段４は、データ整列用メモリ１２のデータを順に出力する。
【００２６】
情報ディスク１の１回転のデータを再生し終わった後は、制御手段５の指示により、読み取りヘッド部駆動装置８とサーボ回路９とを駆動して再生トラックを進めるが、この間も情報ディスク１は回転しているので、情報ディスク１が螺旋状にトラックが形成されている場合には、複数の再生トラックのうちで最も内周側の再生トラックを再生する光ピックアップ７ａを再生済みのデータにちょうど接続するように再生手段を移動させることは困難である。
【００２７】
そこで、複数の光ピックアップ７ａをすでに読み取り済みのトラックに重複するように、好ましくは、最も内周側のトラックを再生する光ピックアップ７ａを読み取り済みのトラックのうち最も外周側のトラックに移動させるように読み取りヘッド部７を移動し、移動後即座に読み取りを再開する。再生済みのトラック上に移動した再生手段２はそのまま再生を開始して、読み取り済みのデータとの比較を行っても良いし、また無条件に読み取り済みのデータに上書きを行っても良いし、または読み取り動作かデータの出力動作を未読み取りデータが来るまで停止しても良い。
【００２８】
また、振動等により異常トラックジャンプが発生した場合にも、ディスク１回転のデータを再生し終わったあとと同様にトラックジャンプを再度行って読み取り済みのデータの続きを読み取るようにするが、トラックの１回転の途中で読み取りが中断されているので、データ整列用メモリ１２で既に整列済みとなっているデータのみを残して、途中で読み取りが中断された複数トラックのデータを捨て、前記整列済みのデータの続きから読み取るように適正な位置にトラックジャンプを行う。もしくは、処理が複雑にはなるが、データ整列用メモリ１２に分断されて残っているデータを利用して、分断されている部分のデータが読み取れた時点で１回転分のデータの読み取りを終了しても良い。
【００２９】
このように構成したため、従来例のディスク再生装置では、読み取りトラックが単一で、データの再生速度よりも高速にデータを読み取るようディスクの回転速度を上げて高速にショックプルーフメモリにデータを読み取らなければならないので、読み取ったデータのエラーレートが悪化してしまうが、本実施の形態１のマルチトラックディスク再生装置では、情報ディスク１を低回転速度のままで複数の隣接トラックを同時に並列に読み取ってデータ整列用メモリ１２に蓄え、情報ディスク１のトラックの並びと同じ順番で読み出すことができ、データ転送速度の高速化を図ることができる。
【００３０】
また、データ整列手段３をショックプルーフ用メモリとして使用できるので再生装置の総メモリ量を最低限度にとどめることができるとともに、トラックジャンプ後も即座にデータの読み取りを再開するので、データ整列手段３の内部のデータが減少した場合でも速やかにこのデータ整列手段３の内部のデータを増加させることができ、情報ディスク１を低回転速度のままでショックプルーフを実現することが出来るので、読み取ったデータのエラーレートが悪化することを防止でき、連続加振等に対する耐振性をより高め、出力データの途切れを防止したディスク再生装置を提供することができる。
【００３１】
（実施の形態２）
本発明の実施の形態２のマルチトラックディスク再生装置は、前述の実施の形態１の制御手段５を、データ整列手段３のデータ記憶量が所定値以上になると再生手段２の並行して読み取るトラック本数を１本とし、データ整列手段３の前記データ記憶量が所定値以下になると再生手段２の並行して読み取るトラック数を増加させる機能を追加して構成したものである。
【００３２】
ここで、データ整列用メモリ１２に記憶されているデータ量が一定値以上となった場合の動作について説明する。
データ整列用メモリ１２に記憶されているデータ量が一定値以上となり、このデータ整列用メモリ１２の空き容量が少なくなってくると、再生手段２の再生する複数トラックのデータ読み取り速度の合計よりも、データ読み出し手段４の読み出し速度が遅いため読み取ったデータをデータ整列用メモリ１２の内部に書き込むことができなくなり、その結果頻繁にトラックジャンプを行って再生トラックを戻してやる必要が生じてくる。また、マルチトラックディスク再生装置特有の動作で、螺旋状にトラックが形成されたディスクでもディスク１回転ごとにトラックジャンプを行って再生トラックを進めてやる必要がある。トラックジャンプは、トラッキングサーボを解除して行うため耐振性が著しく劣化することになる。
【００３３】
そこで、データ整列用メモリ１２に記憶されているデータ量が一定値以上となった後は、再生手段２の有効な読み取りトラック数を１本とすることで実質の再生速度を低下させ、マルチトラックディスク再生装置特有の再生トラックを進めるためのトラックジャンプを行わず再生を進めることができるようになる。この方法は、従来のディスクの回転速度を変化させる方法に比べて、情報ディスク１の回転速度を変化させることなくより急速に再生速度を変化させることができ、従来例のようなディスクの回転速度を変化させる際の耐震性やエラーレートなどの低下がないという有利な点がある。
【００３４】
また、前記以外の方法で再生手段２の有効な読み取りトラック数を減少させる方法としては、読み取りヘッド部７の信号出力そのものを遮断する方法、読み取りヘッド部７が光ピックアップ７ａである場合には読み取りビームそのものを停止させる方法、ヘッドアンプ部１０からの信号の出力を停止する方法、デジタル信号処理回路１１の動作を停止する方法、またはメモリコントローラ１３により該当するトラックのデータをデータ整列用メモリ１２に書き込まない方法がある。
【００３５】
更に、情報ディスク１が、螺旋状にトラックが形成されている場合には、再生トラック１本あたりの再生速度をデータ読み出し手段４の読み出し速度とほぼ同一とし、更に同時再生トラック数を１とすることで耐震性能の低下するトラックジャンプを行わずに再生を行うことができる。このとき、データ整列用メモリ１２の内部のデータ量が一定値となるまではトラック１本あたりの再生速度はデータ読み出し手段４の読み出し速度よりも早い速度とし、データ整列用メモリ１２の内部のデータ量が一定値となったあとトラック１本あたりの再生速度をデータ読み出し手段４の読み出し速度とほぼ同一速度に減速しても良いし、最初からトラック１本あたりの再生速度をデータ読み出し手段４の読み出し速度とほぼ同一になるようにして、データ整列用メモリ１２の内部のデータ量が一定値となったあとは、同時再生トラック数を１に減少させるのみとして、やはり耐震性能の低下するディスクの加減速を行わない方法もある。
【００３６】
以上のように構成したため、情報ディスク１の回転速度を変化させることなく即座にデータ整列手段３にデータを書き込む速度を変化させることができるので、読み取りデータのエラーレートの悪化がなく、データ整列手段３の内部のデータが減少した場合でも速やかにこのデータ整列手段３の内部のデータを増加させることができ、連続加振等に対する耐振性をより高め、出力データの途切れを防止したディスク再生装置を提供することができる。
【００３７】
（実施の形態３）
本発明の実施の形態３のマルチトラックディスク再生装置は、前述の実施の形態１で図１に示したマルチトラックディスク再生装置を具体的にＣＤ−ＲＯＭ装置としたものであり、ＣＤ−ＤＡ（ＣＤオーディオ）データを再生する場合の動作を以下に説明する。
【００３８】
情報ディスク１は、この実施の形態３ではＣＤ／ＣＤ−ＲＯＭ規格の光ディスクであり、螺旋状にトラックが形成されており線速度一定でデータが記録されている。ディスク駆動装置６は、情報ディスク１を所定の速度で回転させるモータである。
再生手段２は、読み取りヘッド部７と読み取りヘッド部駆動装置８とサーボ回路９とヘッドアンプ部１０とデジタル信号処理回路１１とで構成されている。
【００３９】
読み取りヘッド部７は、ＣＤ／ＣＤ−ＲＯＭ規格のディスクを読み取る光ピックアップ７ａで、情報ディスク１の半径方向に可動に設置されており、情報ディスク１の隣接する複数のトラックのデータを並行して再生する。本実施の形態３では６本のトラックのデータを並行して再生できる光ピックアップ装置を用いる。
【００４０】
読み取りヘッド部駆動装置８は、読み取りヘッド部７を半径方向に駆動し、目的のトラックに移動する。サーボ回路９は、光ピックアップ７ａのフォーカス、およびトラッキング方向のサーボ制御をおこなう。ヘッドアンプ部１０は、読み取りヘッド部７から並列に再生された信号を増幅し適正な大きさの信号にそれぞれ変換して出力するよう複数のヘッドアンプで構成されている。デジタル信号処理回路１１は、ヘッドアンプ部１０から並列に出力された信号をデジタルデータに変換し、ＣＤ／ＣＤ−ＲＯＭデータの復調、復号を行い並列に出力する。
【００４１】
データ整列手段３は、デジタル信号処理回路１１から並列に出力されたデータを逐次データ整列用メモリ１２にデータの先頭から順に整列させるメモリコントローラ１３で構成されている。
データ読み出し手段４は、並列に再生されたデータが再生される合計の速度よりも遅い速度でデータの読み出しを行い装置外部に出力する。制御手段５は、ディスク駆動装置６と、読み取りヘッド部駆動装置８と、サーボ回路９と、デジタル信号処理回路１１と、メモリコントローラ１３と、データ読み出し手段４とを制御する。
【００４２】
実際の再生動作は、ＣＤ−ＤＡデータを再生する場合を例に、データ整列用メモリ１２の内部のデータ量と、実際の再生速度の変化について説明する。
ＣＤ−ＤＡ再生時にはディスク駆動装置６の回転速度をトラック１本あたりの再生速度がＣＤ−ＤＡの標準再生速度と同じになるように制御を行う。したがって、トラック１本あたりの再生速度は１倍速となる。このとき、情報ディスク１を高速に回転させて高速読取りを行っている場合に比べてディスク回転による加速度は速度の２乗に比例して大きくなるため、より耐震性能を強くすることができる。
【００４３】
データ整列用メモリ１２の内部のデータ量と実際の再生速度は、図３に示すように変化する。
区間Ａでは、データ整列用メモリ１２の内部のデータが一定値になるまで、６個の再生トラック全てを使ってデータの読取りを行う。ディスク１回転のデータを読み出し終わるとトラックジャンプを行い再生トラックを進めるが、トラックジャンプ中もディスクは回転を続けているために読取り済みのデータに正確に接続するようにトラックジャンプすることは困難である。このため、最も内周側の再生トラックは既に読取り済みのトラック上にジャンプさせる必要が生じるため実際の再生速度は標準速度の約５倍となる。
【００４４】
ＣＤ−ＤＡデータの再生は標準速度で進められ、再生トラック１本分の速度でデータ読み出し手段４からデータが読み出される。
次に、データ整列用メモリ１２の内部のデータが一定値になると、同時再生トラック数を１に減少させるが、情報ディスク１の回転速度は変化させる必要がなく、瞬時にデータの読み出し速度を変化させることが出来る。区間Ｂでは、ＣＤ−ＤＡデータの再生速度と同じ再生速度でデータの読み出しを行う。このとき、情報ディスク１からのデータ読み出し速度と、データ読み出し手段４からデータが読み出される速度がほぼ同一となるため、データ整列用メモリ１２の内部のデータ量は一定となる。また、ＣＤ／ＣＤ−ＲＯＭ規格のディスクでは螺旋状にトラックが形成されているためこの区間ではトラックジャンプを行う必要がなく、ディスク１回転毎にトラックジャンプを行う区間Ａよりも耐震性が向上すると共に、ディスク速度を変化させる必要がないのでディスクの加減速による耐震性能の低下もない。また、ヘッドアンプ部１０とデジタル信号処理回路１１はトラック１本分のみの回路を動作させれば良いので消費電力を削減することが出来る。
【００４５】
ここで、区間Ｃに示すように、本再生装置に振動などが加わりデータの読み取りが一時停止したとする。この区間Ｃでは、データの読取りが出来なくなっているが、データ整列用メモリ１２の内部には既に読取り済みのデータが一定量貯えられているので、このデータが無くなるまではデータ読み出し手段４からのデータの読み出しは停止することはなくＣＤ−ＤＡの音声の途切れを防止することができる。
【００４６】
振動等が停止し、再びデータの読取りが行えるようになった時点ではデータ整列用メモリ１２の内部のデータは区間Ｃでデータ読み出し手段４が読み出しを行った分減少しているため、同時再生トラック数を増加させてデータの読取りを行う。区間Ｄでは最大の６トラックを同時に再生し、標準速の約５倍で再び、データ整列用メモリ１２の内部のデータが一定量以上となるまでデータの読取りを行う。
【００４７】
以上のように構成したため、情報ディスク１の回転速度を変化させることなく即座にデータ整列手段３にデータを書き込む速度を変化させることができるので、読み取りデータのエラーレートの悪化がなく、データ整列手段３の内部のデータが減少した場合でも速やかにデータ整列手段３の内部のデータを増加させることができ、連続加振等に対する耐振性をより高め、出力データの途切れを防止したディスク再生装置を提供することができる。
【００４８】
【発明の効果】
以上のように本発明のマルチトラックディスク再生装置によれば、記録面上に同心円状または螺旋状に複数のトラックが形成された情報ディスクの隣接する複数トラックのデータを並行して読み取る再生手段と、前記再生手段により再生されたデータを順次記憶しトラックの並び順に整列させるデータ整列手段と、前記再生手段による並行して読み取り可能な複数トラックからのデータ読み取り速度の合計よりも遅い速度で前記データ整列手段から整列済みのデータを読み出すメモリ読み出し手段と、前記データ整列手段の整列済みデータの読み出しと並行して前記再生手段からのデータを前記データ整列手段に書き込み、前記情報ディスクの１回転分のデータを読み取ると前記再生手段の読み取りトラックをトラックジャンプさせて一定量前進させ、異常トラックジャンプ発生時には前記再生手段の読み取りトラックを適正な位置に再設定するよう制御する制御手段とを設け、前記制御手段を、前記データ整列手段のデータ記憶量が所定値以上になると前記再生手段の並行して読み取るトラック本数を１本とし、前記データ整列手段の前記データ記憶量が所定値以下になると前記再生手段の並行して読み取るトラック数を増加させるよう構成したことにより、情報ディスクの回転速度を変化させることなくデータ転送速度の高速化を図ることができ、データ整列手段をショックプルーフ用メモリとして使用できるので再生装置の総メモリ量を最低限度にとどめることができる。また、情報ディスクの回転速度を変化させることなく即座に前記データ整列手段にデータを書き込む速度を変化させることができるので、読み取りデータのエラーレートの悪化がなく、データ整列手段内のデータが減少した場合でも速やかに前記データ整列手段内のデータを増加させることができ、情報ディスクを低回転速度のままでショックプルーフを実現することが出来るので、連続加振等に対する耐振性をより高め、出力データの途切れを防止することができ、音切れや音飛びを防止できるディスク再生装置を提供することができる。
【００４９】
また、情報ディスクを、螺旋状に複数のトラックが形成されているディスクとし、制御手段を、読み取りトラックを前進させるトラックジャンプ時と異常トラックジャンプ発生時には、再生手段の一部を既に読み取り済みのトラックに重複するようにトラックジャンプさせ未読み取りのトラックに該当する再生手段を用いて即座にデータの読み取りを再開するよう構成した場合では、トラックジャンプ後も即座にデータの読み取りを再開するので、データ整列手段内のデータが減少した場合でも速やかに前記データ整列手段内のデータを増加させることができ、連続加振等に対する耐振性をより高め、出力データの途切れを防止したディスク再生装置を提供することができる。
【００５１】
また、前記制御手段を、再生手段が並行して読み取ったトラックのデータのうちデータ整列手段に並行して書き込むトラック数を増減させることで有効な読み取りトラック数を増減させるよう構成した場合では、ディスクの回転速度を変化させることなく即座に前記データ整列手段にデータを書き込む速度を変化させることができるので、読み取りデータのエラーレートの悪化がなく、データ整列手段内のデータが減少した場合でも速やかに前記データ整列手段内のデータを増加させることができ、連続加振等に対する耐振性をより高め、出力データの途切れを防止したディスク再生装置を提供することができる。
【００５２】
また、情報ディスクを、螺旋状にトラックが形成されたディスクとし、前記制御手段を、再生手段の並行して再生を行う複数トラックの１トラック当りの再生速度がメモリ読み出し手段の読み出し速度とほぼ同じである場合、データ整列手段のデータ記憶量が所定値以上になると、前記再生手段が並行して読み取るトラック本数を１本としトラックジャンプを行わず再生を行うよう構成した場合では、情報ディスクの回転速度を変化させることなく即座に前記データ整列手段にデータを書き込む速度を変化させることができるので、読み取りデータのエラーレートの悪化がなく、データ整列手段内のデータが減少した場合でも速やかに前記データ整列手段内のデータを増加させることができ、さらにデータ整列手段のデータ記憶量が所定値以上になったときにはトラックジャンプを行わずにデータの再生をメモリ読み出し手段の読み出し速度とほぼ同じ速度で継続することができるので、連続加振等に対する耐振性をより高め、出力データの途切れ防止したディスク再生装置を提供することができる。
【００５３】
また、情報ディスクを、螺旋状にトラックが形成されたディスクとし、前記制御手段を、再生手段の並行して再生を行う複数トラックの１トラック当りの再生速度がメモリ読み出し手段の読み出し速度と異なる速度である場合、データ整列手段のデータ記憶量が所定値以上になると、有効再生トラック数を１本にして１トラック当りの再生速度をメモリ読み出し手段の読み出し速度とほぼ同じ速度に変化させ、データ整列手段の前記データ記憶量が所定値以下になると、有効再生トラック数を増加させるとともに１トラックあたりの再生速度を元に戻すよう構成した場合では、情報ディスクの回転速度を急速に変化させることなく即座に前記データ整列手段にデータを書き込む速度を変化させることができるので、読み取りデータのエラーレートの悪化が少なく、データ整列手段内のデータが減少した場合でも速やかに前記データ整列手段内のデータを増加させることができ、さらにデータ整列手段のデータ記憶量が所定値以上になったときにはトラックジャンプを行わずにデータの再生をメモリ読み出し手段の読み出し速度とほぼ同じ速度で継続することができるので、連続加振等に対する耐振性をより高め、出力データの途切れ防止したディスク再生装置を提供することができる。
【００５４】
また、情報ディスクを、デジタル音声データが記録されたディスクとし、前記メモリ読み出し手段を、所定の速度でデジタル音声データを読み出し、読み出された前記デジタル音声データを音声信号に変換して出力するＤ／Ａコンバータ回路を備えるよう構成した場合では、データ整列手段をショックプルーフ用メモリとして使用できるので再生装置の総メモリ量を最低限度にとどめることができ、またデータ整列手段内のデータが減少した場合でも速やかに前記データ整列手段内のデータを増加させることができ、連続加振等に対する耐振性をより高め、音切れや音飛びを防止したディスク再生装置を提供することができる。
【図面の簡単な説明】
【図１】本発明のマルチトラックディスク再生装置の構成を示すブロック図
【図２】本発明の再生手段の要部の構成を示すブロック図
【図３】本発明の実施の形態３でのメモリ内のデータ量と再生速度の変化を示す図
【符号の説明】
１  情報ディスク
２  再生手段
３  データ整列手段
４  データ読み出し手段
５  制御手段
６  ディスク駆動装置
７  読み取りヘッド部
８  読み取りヘッド部駆動装置
９  サーボ回路
１０  ヘッドアンプ部
１１  デジタル信号処理回路
１２  データ整列用メモリ
１３  メモリコントローラ
【図１】
0004059590.tif 000002
【図２】
0004059590.tif 000003
【図３】
0004059590.tif 000004